(57)【特許請求の範囲】
【請求項１】
放射状に延びる複数の板状部材で形成した架台と、
前記架台の中心部に下端部で固定されるとともに、上端部に第１締結部材を形成した支柱と、
放射状に延びる複数の板状部材で形成されるとともに、中心部に前記支柱の前記第１締結部材を通す貫通孔を形成した挟持部材と、
前記挟持部材の貫通孔に前記支柱の第１締結部材を通した状態で当該第１締結部材に締結されるとともに、前記挟持部材が前記支柱から離脱することを防止する第２締結部材と
を備えるフレキシブルダクト用の収納治具。
【請求項２】
前記架台は、当該架台に形成した前記複数の板状部材の先端部のそれぞれに前記支柱に沿って上方に延びる下側ガイド部材をさらに備えることを特徴とする請求項１記載のフレキシブルダクト用の収納治具。
【請求項３】
前記挟持部材は、当該挟持部材に形成した前記複数の板状部材の先端部のそれぞれに前記支柱に沿って下方に延びる上側ガイド部材をさらに備えることを特徴とする請求項１記載のフレキシブルダクト用の収納治具。
【請求項４】
前記挟持部材は、前記複数の板状部材の先端部間に架け渡される取手部材をさらに備えることを特徴とする請求項１から請求項３のいずれか記載のフレキシブルダクト用の収納治具。
【請求項５】
前記架台は、当該架台に形成した前記複数の板状部材の先端部のそれぞれに前記支柱に沿って下方に延びる脚部材をさらに備えることを特徴とする請求項１から請求項４のいずれか記載のフレキシブルダクト用の収納治具。
【発明の詳細な説明】
【０００１】
【発明の属する技術分野】
本発明は、排気、給気、粉塵除去等に用いられるフレキシブルダクトをコンパクトに収納するための収納治具に関する。
【０００２】
【従来の技術】
フレキシブルダクトは、タンク内作業等の多方面において、有害ガスの除去や粉塵除去、さらに酸欠防止用に空気を送り込む等の各種用途に使用されている。このフレキシブルダクトは、自由自在に曲げることができるチューブであるが、資材倉庫などの整理整頓のなかで、最も規則正しく整理されにくい道具類の一つである。すなわち、フレキシブルダクトは、直線的に延びる復元力を有して長く延びるだけでなく、その使用目的によって長さや径が違い、使用後の収納が極めて厄介で、規則正しく収納されることが少ない。ほとんどの場合、フレキシブルダクトの筒内に紐や細い針金を通し、フレキシブルダクトの全体を圧縮させつつ紐や針金の両端を括り付けて固定する。
【０００３】
【発明が解決しようとする課題】
しかし、フレキシブルダクトに紐や針金を通し圧縮して収納する場合、その圧縮した形状は非対称で、収納状態は決して整理された状態とは言い難いものにしかならず、例えば収納棚にそのまま収めようとすると、整理が困難になり収納スペースが大きくなってしまう。
【０００４】
そこで、本発明は、様々な径や長さを有するフレキシブルダクトを整頓して収納するのに役立つフレキシブルダクト用の収納治具を提供することを目的とする。
【０００５】
【課題を解決するための手段】
上記課題を解決するため、本発明に係るフレキシブルダクト用の収納治具は、放射状に延びる複数の板状部材で形成した架台と、前記架台の中心部に下端部で固定されるとともに、上端部に第１締結部材を形成した支柱と、放射状に延びる複数の板状部材で形成されるとともに、中心部に前記支柱の前記第１締結部を通す貫通孔を形成した挟持部材と、前記挟持部材の貫通孔に前記支柱の第１締結部材を通した状態で当該第１締結部材に締結されるとともに、前記挟持部材が前記支柱から離脱することを防止する第２締結部材とを備える。なお、架台や挟持部材は、例えば一対の棒状の板部材を十字に交差させた状態で固定することによって形成することができる。また、第１締結部材はボルト状の部材とすることができ、第２締結部材もナット状の部材とすることができる。
【０００６】
上記収納治具では、まず架台と挟持部材とを分離した状態とし、架台側の支柱をフレキシブルダクトの筒内に通すようにして架台上にフレキシブルダクトを置き、挟持部材をフレキシブルダクトの上端側から押し付ける。これにより、架台と挟持部材との間にフレキシブルダクトを挟みつつ、挟持部材の貫通孔に前記支柱先端に設けた第１締結部材を通すことができる。この状態で、第２締結部材を第１締結部材と締結することにより、フレキシブルダクトの反発力によって挟持部材が支柱から離脱することを防止できる。つまり、架台と挟持部材との間に円筒状に圧縮したフレキシブルダクトを保持して確実に固定することができる。かかる収納治具を用いれば、様々な径や長さを有するフレキシブルダクトを対称的な形態でコンパクトな状態に圧縮することができ、整頓した収納が可能になる。しかも、架台や挟持部材を放射状に延びる複数の板状部材で形成しているので、収納治具自体が軽量になり、収納治具に保持したフレキシブルダクトの取り扱いが簡単になる。
【０００７】
上記収納治具の具体的な態様では、前記架台が、当該架台に形成した前記複数の板状部材の先端部のそれぞれに前記支柱に沿って上方に延びる下側ガイド部材をさらに備える。この場合、圧縮変形時やその後の収納・整頓時に架台上でフレキシブルダクトが移動等することを防止できるので、フレキシブルダクトの収納作業等が簡単で確実なものとなる。
【０００８】
上記収納治具の具体的な態様では、前記挟持部材が、当該挟持部材に形成した前記複数の板状部材の先端部のそれぞれに前記支柱に沿って下方に延びる上側ガイド部材をさらに備える。この場合も、圧縮変形時やその後の収納・整頓時に挟持部材に対してフレキシブルダクトが移動等することを防止できるので、フレキシブルダクトの収納作業等が簡単で確実なものとなる。
【０００９】
上記収納治具の具体的な態様では、前記挟持部材が、前記複数の板状部材の先端部間に架け渡される例えばアーチ状の取手部材をさらに備える。この場合、フレキシブルダクトを収納した収納治具全体を簡易に持ち運ぶことができる。
【００１０】
上記収納治具の具体的な態様では、前記架台が、当該架台に形成した前記複数の板状部材の先端部のそれぞれに前記支柱に沿って下方に延びる脚部材をさらに備える。この場合、収納治具に収納されたフレキシブルダクトが床面に接触して汚れることを防止できる。
【００１１】
【発明の実施の形態】
以下、本発明に係る収納治具の一実施形態について、図面を参照しつつ具体的に説明する。
【００１２】
図１は、本発明の一実施形態に係るフレキシブルダクト用の収納治具の構造を説明する分解斜視図である。この収納治具１０は、全体として十字の外観を有する架台１２と、架台１２の中心部に下端部で固定されて直立する支柱１３と、全体として十字の外観を有し中心部に支柱１３の上端部を通す貫通孔を有する挟持部材１４と、支柱１３先端のネジ山に螺合して挟持部材１４が支柱１３から離脱することを防止する蝶ナット１５とを備える。
【００１３】
架台１２は、４方向に延びる板部材１２ａ〜１２ｄからなり、各板部材１２ａ〜１２ｄは、鉄、ＳＵＳ３０４等の金属材料から一体的に形成することができ、軽量にするため一対のアングル部材やチャンネル部材を十字に組んで交差点で溶接することによっても形成することができる。各板部材１２ａ〜１２ｄの先端上方には、下側ガイド部材として、上方に延びる板状のガイド爪１２ｅ〜１２ｈがそれぞれ形成されている。また、各板部材１２ａ〜１２ｄの先端下方、すなわちガイド爪１２ｅ〜１２ｈの下側には、板状の脚部材１２ｉ〜１２ｌがそれぞれ形成されている。各ガイド爪１２ｅ〜１２ｈと各脚部材１２ｉ〜１２ｌとの上下一組、例えばガイド爪１２ｅと脚部材１２ｉは、鉄、ＳＵＳ３０４等の金属材料からなる一枚の板材を板部材１２ａ〜１２ｄの先端に溶接することによって形成されている。これらのガイド爪１２ｅ〜１２ｈと脚部材１２ｉ〜１２ｌも、軽量のためアングル部材やチャンネル部材で形成することができる。
【００１４】
支柱１３は、下端で架台１２の中心部に固定されて上方に延びる棒状の部材であり、上端がくびれており第１締結部材であるネジ山１３ａが形成されている。この支柱１３は、鉄、ＳＵＳ３０４等の金属材料で形成されている。
【００１５】
挟持部材１４は、４方向に延びる板部材１４ａ〜１４ｄからなる。また、挟持部材１４の中央には、貫通孔１４ｍが形成されており、支柱１３のネジ山１３ａが貫通する。一対の板部材１４ａ、１４ｂの間には、ワイヤー状の取手１７が掛け渡されている。各板部材１４ａ〜１４ｄは、鉄、ＳＵＳ３０４等の金属材料から一体的に形成することができ、一対の板材をクロス溶接加工すなわち十字に組んで交差点で溶接することによっても形成することができる。各板部材１４ａ〜１４ｄの先端には、上側ガイド部材として、下方に延びる板状のガイド爪１４ｅ〜１４ｈがそれぞれ形成されている。各ガイド爪１４ｅ〜１４ｈは、板部材１４ａ〜１４ｄの先端に溶接することによって形成されている。これらのガイド爪１４ｅ〜１４ｈは、板部材１４ａ〜１４ｄの先端を下方に折り曲げることによっても形成することができる。
【００１６】
蝶ナット１５は、第２締結部材として支柱１３の上端に設けたネジ山１３ａに対して締結される。すなわち、蝶ナット１５は、挟持部材１４の貫通孔１４ｍに支柱１３のネジ山１３ａを通した状態でネジ山１３ａに螺合し、挟持部材１４が支柱１３から離脱することを防止する。
【００１７】
以下、具体的な実施例として、直径２４０ｍｍのフレキシブルダクト２０を収納する場合の収納治具１０の寸法等ついて説明する。架台１２は、長さ２６０ｍｍで厚み２８ｍｍの一対のアングル部材やチャンネル部材を十字に組んで交差点で溶接することに形成され、その脚部材１２ｉ〜１２ｌの上下方向の長さは、３０ｍｍであり、ガイド爪１２ｅ〜１２ｈの上下方向の長さは、７０ｍｍである。支柱１３は、φ＝８ｍｍで長さ３５０ｍｍの鉄製丸棒材からなる。挟持部材１４は、長さ２６０ｍｍの一対の板材を十字に組んで交差点で溶接することに形成され、そのガイド爪１４ｅ〜１４ｈの上下方向の長さは、１００ｍｍである。取手１７は、６ｍｍの丸棒を曲げて製作される。収納治具１０全体は、耐食塗装が施され薬品等に対して保護されている。
【００１８】
図２は、図１の収納治具１０にフレキシブルダクト２０を収納した状態を示す図である。図１及び図２を用いてフレキシブルダクト２０の収納について説明する。まず、図１に示すように、架台１２と挟持部材１４とを分離した状態とする。次に、支柱１３をフレキシブルダクト２０の筒内に通すようにして架台１２上にフレキシブルダクト２０を置き、挟持部材１４をフレキシブルダクト２０の上端側から押し付けることにより、架台１２と挟持部材１４との間にフレキシブルダクト２０を圧縮して挟み込むことができる。このように、架台１２と挟持部材１４との間にフレキシブルダクト２０を挟み込んだ状態で、挟持部材１４の貫通孔に支柱１３先端のネジ山１３ａを通し、蝶ナット１５をネジ山１３ａとねじ合わせる。これにより、架台１２と挟持部材１４とを支柱１３を介して相互に固定することができ、フレキシブルダクト２０の反発力によって挟持部材１４が支柱１３から離脱することを防止できる。収納治具１０に収納されたフレキシブルダクト２０は、図２に示すように円筒状に圧縮されてコンパクトな状態になる。この際、架台１２に設けたガイド爪１２ｅ〜１２ｈや挟持部材１４に設けたガイド爪１４ｅ〜１４ｈがガイドとなって、フレキシブルダクト２０の下端や上端が架台１２や挟持部材１４からずれ落ちたり、はみ出したりすることを防止できる。また、架台１２の周囲に設けた脚部材１２ｉ〜１２ｌにより、フレキシブルダクト２０が床に接触することを回避できる。すなわち、収納治具１０の設置場所が凹凸で平面でなかったり、濡れていたり、酸性やアルカリ性の液があった場合に、フレキシブルダクト２０が汚れることを防止できる。
【００１９】
以上の説明から明らかなように、本実施形態の収納治具１０によれば、様々な長さのフレキシブルダクト２０を対称的な形態でコンパクトな状態に圧縮することができ、整頓した収納が可能になる。さらに、収納治具１０自体は軽量であり、フレキシブルダクト２０を収納治具１０に保持した状態で取手１７で搬送することにより、小さく圧縮したフレキシブルダクト２０を簡易に取り扱うことができ、効率的に収納・保管することができる。取手１７の形状は特に限定されないが、アーチ状のものが好ましい。なお、収納治具１０は、架台１２を下にして収納することもできるが、フレキシブルダクト２０が横に向く状態すなわち架台１２や取手１７が正面となる状態で保管することもできる。
【００２０】
以上、実施形態に即して本発明を説明したが、本発明は上記実施形態に限定されるものではない。例えば、架台１２から延びる板部材の数や寸法は、適宜変更することができる。ただし、３つ以上が安定し、偶数とすることでクロス溶接加工による架台１２の作製が可能になる。架台１２を一対の板材のクロス溶接加工によって作製する場合、クロス角度は、９０゜に限らず、フレキシブルダクト２０の形状等の使用条件に応じた最も適当な角度になるように設定することができる。同様に、挟持部材１４から延びる板部材の数や寸法は、適宜変更することができる。ただし、３つ以上が安定し、偶数とすることでクロス溶接加工による架台１２の作製が可能になる。
【００２１】
また、収納治具１０は、鉄やＳＵＳ３０４に限らず、他の様々な材料を用いて形成することができる。ただし、フレキシブルダクト２０が酸性やアルカリ性のガス等の雰囲気下に放置されたり、このようなガス等を吸引したような場合、フレキシブルダクト２０内にガスのミストが凝縮したりして液滴となって垂れ落ちる場合もあるので、収納治具１０を耐食性のある材料で作製することが望ましい。
【００２２】
また、架台１２に設けた脚部材１２ｉ〜１２ｌの長さや大きさは、適宜変更することができる。ただし、脚部材１２ｉ〜１２ｌは必須のものではない。
【００２３】
架台１２や挟持部材１４の大きさは、フレキシブルダクト２０の径によって変更する必要があり、支柱１３の長さも、フレキシブルダクト２０の長さや収納場所の空間等の条件によって変更する必要がある。ただし、架台１２や挟持部材１４のサイズに対応する最大径のフレキシブルダクト２０よりも小さな径のフレキシブルダクトであっても通常の場合と同様に収納することができる。この場合、小さな径のフレキシブルダクトに合わせて、ガイド爪１２ｅ〜１２ｈ、１４ｅ〜１４ｈと同様の機能を有する別のガイド爪等を、板部材１２ａ〜１２ｄ、１４ａ〜１４ｄの中間位置に設けることが望ましい。
【００２４】
【発明の効果】
以上の説明から明らかなように、本発明に係るフレキシブルダクト用の収納治具によれば、架台と挟持部材との間に円筒状に圧縮したフレキシブルダクトを保持して確実に固定することができる。つまり、様々な径や長さを有するフレキシブルダクトを対称的な形態でコンパクトな状態に圧縮することができ、整頓した収納が可能になる。しかも、架台や挟持部材を放射状に延びる複数の板状部材で形成しているので、収納治具自体が軽量になり、収納治具に保持したフレキシブルダクトの取り扱いが簡単になる。
【図面の簡単な説明】
【図１】実施形態に係る収納治具の分解斜視図である。
【図２】図１の収納治具にフレキシブルダクトを収納した状態を示す斜視図である。
【符号の説明】
１０      収納治具
１２      架台
１２ａ〜１２ｄ      板部材
１２ｅ〜１２ｈ      ガイド爪
１２ｉ〜１２ｌ      脚部材
１３      支柱
１３ａ    ネジ山
１４      挟持部材
１４ａ〜１４ｄ      板部材
１４ｅ〜１４ｈ      ガイド爪
１４ｍ    貫通孔
１５      蝶ナット
１７      取手
２０      フレキシブルダクト
【図１】
0003973440.tif 000002
【図２】
0003973440.tif 000003